(57)【要約】【課題】複数の映像入力端子を有するプロジェクタ装置で、キーを増加することなく、オートサーチを行うことができると共に、複数の映像入力端子からの映像の中から、所望の映像を選択して表示できるようにする。【解決手段】リモートコントローラ２３には、インプットキー３１が設けられる。インプットキー３１が短押しされると、オートサーチとなり、信号入力のある映像入力端子に自動的に切り替えられる。インプットキー３１が長押しされると、映像入力端子５１ａ、５１ｂ、５１ｃの信号名が所定時間毎に順に表示され、インプットキー３１が離された時点の映像入力端子からの映像入力に切り替えられる。このため、１つのインプットキー３１で、オートサーチモードへの設定と、入力映像信号の切替えを行うことができ、キーの増加が防げると共に、どの映像入力端子からの入力も設定することができる。【選択図】図５
2007327987.tif 000002
【特許請求の範囲】
【請求項１】
それぞれが外部からの映像信号を入力可能な複数の入力端子と、前記各入力端子を介して外部から入力される映像信号に基づいて映像を投影表示する投影表示手段と、を備えたプロジェクタ装置であって、
映像信号が入力されている入力端子をサーチする映像信号サーチ手段と、
前記各入力端子から所定の入力端子を指定する入力端子指定手段と、
押下されることにより操作開始信号を出力するとともに、前記押下が開放されることにより操作終了信号を出力するスイッチと、
前記操作開始信号を検出する開始信号検出手段と、
前記操作終了信号を検出する終了信号検出手段と、
前記開始信号検出手段により前記操作開始信号が検出されると、前記操作開始信号が検出されてからの押下時間を計時する押下時間計時手段と、を備え、
前記映像信号サーチ手段は、前記押下時間計時手段により計時される押下時間が所定の押下時間閾値に至る前に、前記終了信号検出手段により前記操作終了信号が検出されたときに、映像信号が入力されている入力端子のサーチを開始し、
前記入力端子指定手段は、前記押下時間計時手段により計時される押下時間が所定の押下時間閾値に至ると、前記終了信号検出手段により前記操作終了信号が検出されるまでの間、所定の時間間隔で、予め設定された順序に従って、前記入力端子を切替え指定することを特徴とするプロジェクタ装置。
【請求項２】
前記入力端子指定手段は、前記入力端子の切替え指定をするために、前記各入力端子の信号名を、所定の時間間隔で、予め設定された順序に従って表示させ、前記操作終了信号が検出されたときに、前記操作終了信号を検出した時点の前記入力端子に映像入力を設定することを特徴とする請求項１に記載のプロジェクタ装置。
【請求項３】
前記入力端子指定手段は、前記入力端子の切替え指定をするために、各入力端子を、所定の時間間隔で、予め設定された順序に従って切り替え、前記操作終了信号が検出されたときに、前記操作終了信号を検出した時点の前記入力端子に映像入力を固定することを特徴とする請求項１に記載のプロジェクタ装置。
【請求項４】
それぞれが外部からの映像信号を入力可能な複数の入力端子を介して外部から入力される映像信号に基づいて映像を投影表示するプロジェクタの表示処理方法であって、
押下されることにより操作開始信号を出力するとともに、前記押下が開放されることにより操作終了信号を出力するスイッチからの信号を判別する工程と、
前記スイッチから操作開始信号が検出されたときに、押下時間が所定の押下時間閾値に至る前に、前記スイッチからの前記操作終了信号が検出されるかを判断する工程と、
前記押下時間が所定の押下時間閾値に至る前に、前記スイッチからの前記操作終了信号が検出された場合には、映像信号が入力されている前記入力端子のサーチを開始する工程と、
前記押下時間が所定の押下時間閾値に至るまで、前記スイッチからの前記操作終了信号が検出されない場合には、前記終了信号検出手段により前記操作終了信号が検出されるまでの間、所定の時間間隔で、予め設定された順序に従って、前記入力端子の切替え指定をする工程と、
からなることを特徴とするプロジェクタの表示処理方法。
【請求項５】
それぞれが外部からの映像信号を入力可能な複数の入力端子を介して外部から入力される映像信号に基づいて映像を投影表示するプロジェクタの表示処理プログラムであって、
押下されることにより操作開始信号を出力するとともに、前記押下が開放されることにより操作終了信号を出力するスイッチからの信号を判別するステップと、
前記スイッチから操作開始信号が検出されたときに、押下時間が所定の押下時間閾値に至る前に、前記スイッチからの前記操作終了信号が検出されるかを判断するステップと、
前記押下時間が所定の押下時間閾値に至る前に、前記スイッチからの前記操作終了信号が検出された場合には、映像信号が入力されている前記入力端子のサーチを開始するステップと、
前記押下時間が所定の押下時間閾値に至るまで、前記スイッチからの前記操作終了信号が検出されない場合には、前記終了信号検出手段により前記操作終了信号が検出されるまでの間、所定の時間間隔で、予め設定された順序に従って、前記入力端子の切替え指定をするステップと、
からなることを特徴とするプロジェクタの表示処理プログラム。
【発明の詳細な説明】
【技術分野】
【０００１】
本発明は、入力される映像信号に基づいて映像を投影表示するプロジェクタ、プロジェクタの表示処理方法、及びプロジェクタの表示処理プログラムに関するもので、特に、複数の映像入力がある場合の表示処理に関する。
【背景技術】
【０００２】
プロジェクタは、大画面の映像をスクリーンに投射することができ、映画鑑賞、プレゼンテーション、教育用等に用いられている。このようなプロジェクタには、各種のビデオ機器が接続される。すなわち、映画等を楽しむ場合には、プロジェクタにＤＶＤ（Ｄｉｇｉｔａｌ  Ｖｅｒｓａｔｉｌｅ  Ｄｉｓｃ）プレーヤやＶＴＲ（Ｖｉｄｅｏ  Ｔａｐｅ  Ｒｅｃｏｒｄｅｒ）が接続される。ＤＶＤプレーヤやＶＴＲとプロジェクタとの接続には、通常、ビデオ入力端子やＳビデオ入力端子が用いられる。
【０００３】
ここで、ビデオ入力端子は、ＮＴＳＣ（Ｎａｔｉｏｎａｌ  Ｔｅｌｅｖｉｓｉｏｎ  Ｓｙｓｔｅｍ  Ｃｏｍｍｕｎｉｃａｔｉｏｎ）方式等のコンポジットビデオ信号を入力するものである。Ｓビデオ入力端子は、ＮＴＳＣ方式等のコンポジットビデオ信号を輝度信号とクロマ信号とに分けて入力するものである。更に、プレゼンテーション等を行う場合には、プロジェクタにパーソナルコンピュータが接続される。この場合には、パーソナルコンピュータとプロジェクタとの接続には、ＲＧＢのコンポーネントビデオ入力端子が用いられる。
【０００４】
このように、プロジェクタには、各種のフォーマットの映像信号が入力される。そこで、このようなプロジェクタには、各種のフォーマットの映像信号を入力するための複数の入力端子が設けられる。そして、リモートコントローラの操作により、複数の入力端子からの映像信号の中から所望の入力の映像信号を選択するようにしている。
【０００５】
しかしながら、このような入力切替えの操作は、ユーザにとって煩わしい操作である。すなわち、従来は、このような入力切替えのために、リモートコントローラに、インプットキーが設けられる。インプットキーが押されると、各入力端子からの入力に順次切り替えられる。しかしながら、このような構成では、ユーザは、インプットキーを押す毎に、入力の設定状況を確認し、所望の入力に設定されるまで、インプットキーを１回ずつ押していかなければならない。特に、入力端子の中には、機器が未接続のものがあり、インプットキーを１回ずつ押しながら、入力を設定するようにすると、機器が未接続の入力端子も選択されることになる。このため、無駄な操作が必要になる。
【０００６】
そこで、例えば、特許文献１に示すように、外部入力端子の各々の信号の有無を判別し、信号有りと判別した外部入力端子を自動的に選択するようにしたものが提案されている。すなわち、このような機能を実現するために、オートサーチモードの設定キーが用意される。オートサーチモードに設定されると、外部入力端子が順番に切り替えられ、各入力端子に設定されたときに、信号が有るかどうかが判断される。信号があれば、その入力端子に設定され、信号が無ければ、次の入力端子に切り替えられる。これにより、信号入力の有る入力端子に自動的に切り替えられる。
【０００７】
また、特許文献２に示されるように、上述のオートサーチと同様に、複数のチャンネルから、信号のあるチャンネルに自動的に切り替えるオートシーク機能が知られている。
【特許文献１】特開平３−２３１５８２号公報
【特許文献２】特開２０００−３５３９３７号公報
【発明の開示】
【発明が解決しようとする課題】
【０００８】
ところが、このようなオートサーチを実現するためには、オートサーチモードの設定キーを用意する必要がある。プロジェクタでは、殆どの操作がリモートコントローラを使って行えるようにしており、リモートコントローラに配置できるキーの数には制限がある。このため、新たに、オートサーチモードの設定キーをリモートコントローラに割り当てることは困難である。
【０００９】
そこで、オートサーチのみで入力を切り替えるようにすることが考えられる。ところがオートサーチでは、サーチで最初に信号が検出された映像入力端子に自動的に切り替えられてしまうため、所望の映像入力端子に切り替えることができないという問題がある。また、オートサーチのみで入力の切替えを行うと、信号入力のない入力端子はスキップしてしまう。このため、信号のない映像入力端子を選択してから、その映像入力端子にビデオ機器をつなぎ、そのビデオ機器からの映像信号を投射するというような操作ができなくなってしまうといった問題もある。
【００１０】
また、オートサーチの設定キーと、インプットキーとを共用して、例えば、インプットキーを押す毎に入力端子が切り替わり、インプットキーを長押しすると、オートサーチとなるようにすることが考えられる。ところが、このようにすると、インプットキーを押す毎に、実際に映像入力端子からの映像入力が切り替わることになり、不要なビデオ機器からの映像入力まで表示されてしまうという問題がある。特に、プロジェクタの場合には、プレゼンテーション等、多数の面前で映像を再生することが多く、映像入力の切替えの最中に、不要な映像入力まで表示されてしまうことは、大きな問題となることがある。また、実際に映像入力端子からの映像入力が切り替わると、映像入力が切り替わる毎に、各種の設定が変更され、画面の乱れが生じる可能性がある。
【００１１】
そこで、本発明は、上述の課題を鑑みてなされたものであり、キーの数を増加することなく、オートサーチを行うことができると共に、複数の映像入力端子からの映像の中から、所望の映像を選択して表示できるようにしたプロジェクタ装置、プロジェクタの表示処理方法、及びプロジェクタの表示処理プログラムを提供することを目的とする。
【課題を解決するための手段】
【００１２】
上述の課題を解決するために、本発明は、以下の事項を提案している。
（１）本発明は、それぞれが外部からの映像信号を入力可能な複数の入力端子と、前記各入力端子を介して外部から入力される映像信号に基づいて映像を投影表示する投影表示手段と、を備えたプロジェクタ装置であって、映像信号が入力されている入力端子をサーチする映像信号サーチ手段と、前記各入力端子から所定の入力端子を指定する入力端子指定手段と、押下されることにより操作開始信号を出力するとともに、前記押下が開放されることにより操作終了信号を出力するスイッチと、前記操作開始信号を検出する開始信号検出手段と、前記操作終了信号を検出する終了信号検出手段と、前記開始信号検出手段により前記操作開始信号が検出されると、前記操作開始信号が検出されてからの押下時間を計時する押下時間計時手段と、を備え、前記映像信号サーチ手段は、前記押下時間計時手段により計時される押下時間が所定の押下時間閾値に至る前に、前記終了信号検出手段により前記操作終了信号が検出されたときに、映像信号が入力されている入力端子のサーチを開始し、前記入力端子指定手段は、前記押下時間計時手段により計時される押下時間が所定の押下時間閾値に至ると、前記終了信号検出手段により前記操作終了信号が検出されるまでの間、所定の時間間隔で、予め設定された順序に従って、前記入力端子を切替え指定することを特徴とするプロジェクタ装置である。
【００１３】
（２）また、本発明は、それぞれが外部からの映像信号を入力可能な複数の入力端子を介して外部から入力される映像信号に基づいて映像を投影表示するプロジェクタの表示処理方法であって、押下されることにより操作開始信号を出力するとともに、前記押下が開放されることにより操作終了信号を出力するスイッチからの信号を判別する工程と、前記スイッチから操作開始信号が検出されたときに、押下時間が所定の押下時間閾値に至る前に、前記スイッチからの前記操作終了信号が検出されるかを判断する工程と、前記押下時間が所定の押下時間閾値に至る前に、前記スイッチからの前記操作終了信号が検出された場合には、映像信号が入力されている前記入力端子のサーチを開始する工程と、前記押下時間が所定の押下時間閾値に至るまで、前記スイッチからの前記操作終了信号が検出されない場合には、前記終了信号検出手段により前記操作終了信号が検出されるまでの間、所定の時間間隔で、予め設定された順序に従って、前記入力端子の切替え指定をする工程と、からなることを特徴とするプロジェクタの表示処理方法である。
【００１４】
（３）さらに、本発明は、それぞれが外部からの映像信号を入力可能な複数の入力端子を介して外部から入力される映像信号に基づいて映像を投影表示するプロジェクタの表示処理プログラムであって、押下されることにより操作開始信号を出力するとともに、前記押下が開放されることにより操作終了信号を出力するスイッチからの信号を判別するステップと、前記スイッチから操作開始信号が検出されたときに、押下時間が所定の押下時間閾値に至る前に、前記スイッチからの前記操作終了信号が検出されるかを判断するステップと、前記押下時間が所定の押下時間閾値に至る前に、前記スイッチからの前記操作終了信号が検出された場合には、映像信号が入力されている前記入力端子のサーチを開始するステップと、前記押下時間が所定の押下時間閾値に至るまで、前記スイッチからの前記操作終了信号が検出されない場合には、前記終了信号検出手段により前記操作終了信号が検出されるまでの間、所定の時間間隔で、予め設定された順序に従って、前記入力端子の切替え指定をするステップと、からなることを特徴とするプロジェクタの表示処理プログラムである。
【発明の効果】
【００１５】
本発明によれば、スイッチが押されると、スイッチの押下時間が計時され、押下時間が所定の押下時間閾値に至る前に、スイッチが離された場合には、映像信号が入力されている入力端子のサーチが開始され、映像信号の有る入力端子に自動的に設定される。また、押下時間が所定の押下時間閾値を越えた場合には、所定の時間間隔で、予め設定された順序に従って、入力端子の切替え指定をすることができる。ここで、スイッチが離されると、その時点の映像入力に設定される。このため、１つのスイッチで、オートサーチモードへの設定と、入力映像信号の切替えを行うことができ、キーの増加が防げることができるという効果がある。
【００１６】
また、所望の入力端子の信号名が表示されている時点で、スイッチを離すことで、どの映像入力端子からの入力も設定することができるという効果がある。更に、入力選択を行っている間、信号名の表示のみを行うようにすると、実際の入力は切替わっていないので、不要な映像入力を見せることなく、入力切替えを行うことができるという効果がある。
【発明を実施するための最良の形態】
【００１７】
以下、本発明の実施の形態について図面を参照しながら説明する。
図１は、本発明が適用されたプロジェクタ装置本体の構成を示すものである。図１において、入出力コネクタ部１０には、ビデオ入力端子、Ｓビデオ入力端子、ＲＧＢコンポーネントビデオ入力端子等の多数のフォーマットの映像信号を入力するための複数の映像入力端子が配設されている。入出力コネクタ部１０からの映像信号は、入出力インターフェース（Ｉ／Ｆ）１１を介して、バス１２に送られる。
【００１８】
入出力インターフェース１１は、図２に示すように、複数の映像入力端子からの映像信号の中から所望の映像信号を選択する選択回路５３と、各映像入力端子５１ａ、５１ｂ、５１ｃからの映像信号の有無を検出する信号検出回路５２ａ、５２ｂ、５２ｃを含んでいる。
【００１９】
図１において、入出力コネクタ部１０からの映像信号は、入出力インターフェース１１を介してバス１２に送られ、バス１２を介して、画像変換部１３に送られる。そして、画像変換部１３において、各種のフォーマットの映像信号が所定のフォーマットの映像信号に変換される。
【００２０】
画像変換部１３からの映像信号は、表示エンコーダ１４に送られる。表示エンコーダ１４は、送られてきた画像信号をビデオＲＡＭ（Ｒａｎｄｏｍ  Ａｃｃｅｓｓ  Ｍｅｍｏｒｙ）１５に展開し、１フレームの間にＲＧＢの各信号が時分割された面順次のビデオ信号を生成する。そして、この面順次のビデオ信号が表示駆動部１６に供給される。また、この面順次のビデオ信号に同期して、ＲＧＢの３色に分けられたカラーホイールが回転制御される。なお、表示エンコーダ１４は、画面上に各種の表示を行うＯＳＤ（Ｏｎ  Ｓｃｒｅｅｎ  Ｄｉｓｐｌａｙ）機能を含んでいる。
【００２１】
表示駆動部１６は、１フレームの間にＲＧＢの各信号が時分割された面順次のビデオ信号で、空間的光変調素子（ＳＯＭ）１７を駆動する。空間的光変調素子１７としては、ＤＭＤ（Ｄｉｇｉｔａｌ  Ｍｉｃｒｏｍｉｒｒｏｒ  Ｄｅｖｉｃｅ）素子が用いられる。ＤＭＤ素子は、その表面に多数の微小なミラーを配置し、その角度を画素毎に変えられる素子である。表示駆動部１６からの信号が空間的光変調素子１７に与えられると、その表面の微少なミラーの角度が変えられ、これにより光の進路が変えられ、画素単位で光のオン／オフが行われる。
【００２２】
また、この空間的光変調素子１７に対して、例えばリフレクタ１８内に配置された超高圧水銀灯等の光源ランプ１９が出射する高輝度の白色光が、カラーホイール（図示せず）を介して照射される。これにより、その反射光で光像が形成される。この光像は、投影レンズ２０を介して、図示しないスクリーンに投影表示される。
【００２３】
制御部２１は、本発明が適用されたプロジェクタ装置本体の全体制御を行っている。制御部２１は、バス１２に接続される。また、制御部２１には、操作部２２から動作入力が与えられると共に、リモートコントローラ２３から、受信部２４を介して、動作入力が与えられる。
【００２４】
本発明が適用されたプロジェクタ装置では、図２に示すように、入出力コネクタ部１０に接続されたビデオ機器からのビデオ信号は、入出力インターフェース１１内の選択回路５３で選択されて、入力される。また、リモートコントローラ２３には、図３に示すように、インプットキー３１が設けられている。ここで、インプットキー３１を短押しすると、オートサーチとなり、複数の映像入力端子５１ａ、５１ｂ、５１ｃの中から、信号入力のある入力に自動的に設定される。また、インプットキー３１を長押しすると、各映像入力端子５１ａ、５１ｂ、５１ｃの切替えを指定できるように、各映像入力端子５１ａ、５１ｂ、５１ｃの信号名が所定時間毎に順番に表示され、インプットキー３１を離した時点の入力に設定される。
【００２５】
図２は、このような機能を実現するための構成を動作に基づく機能ブロック図で示したものである。図２に示すように、入出力インターフェース１１内には、映像入力端子として、例えば３つの映像入力端子５１ａ、５１ｂ、５１ｃが設けられている。
【００２６】
映像入力端子５１ａは、例えば、ビデオ入力端子で、映像入力端子５１ａからの信号名を例えば、「入力Ａ、ビデオ」とする。映像入力端子５１ｂは、例えば、Ｓビデオ入力端子で、映像入力端子５１ｂからの信号名を例えば、「入力Ｂ、Ｓビデオ」とする。映像入力端子５１ｃは、例えば、ＲＧＢ入力端子で、映像入力端子５１ｃからの信号名を例えば、「入力Ｃ、ＲＧＢ」とする。
【００２７】
映像入力端子５１ａ、５１ｂ、５１ｃからの映像信号は、選択回路５３に供給される。そして、選択回路５３で、映像入力端子５１ａ、５１ｂ、５１ｃからの映像信号が切り替えられる。
【００２８】
各映像入力端子５１ａ、５１ｂ、５１ｃには、それぞれ、入力信号を検出するための信号検出回路５２ａ、５２ｂ、５２ｃが設けられている。この信号検出回路５２ａ、５２ｂ、５２ｃの検出出力が映像信号サーチ部５５に送られる。
【００２９】
コマンド信号受信部５６で、リモートコントローラ２３からのコマンド信号が受信され、開始信号検出部５７で、インプットキー３１が押されたときのコマンド信号が検出され、終了信号検出部５８で、インプットキー３１が離されたときのコマンド信号が検出される。
【００３０】
開始信号検出部５７でインプットキー３１が押されたことが検出されると、タイマー（押下時間計時手段）５９が起動され、インプットキー３１の押し下げ時間が計測される。インプットキー３１が短押しされた場合には、開始信号検出部５７でインプットキー３１が押されたときのコマンド信号が検出されてから所定の押下時間閾値に達する前に、終了信号検出部５８で、インプットキー３１が離されたときのコマンド信号が検出される。これに対して、インプットキー３１が長押しされた場合には、開始信号検出部５７でインプットキー３１が押されたときのコマンド信号が検出されてから所定の押下時間閾値に達しても、終了信号検出部５８で、インプットキー３１が離されたときのコマンド信号が検出されない。
【００３１】
判断部５４は、開始信号検出部５７でコマンド信号が検出されてから所定時間以内に、終了信号検出部５８でコマンド信号が検出されるか否かにより、インプットキー３１が短押しされたか長押しされたかを判断している。
【００３２】
インプットキー３１が短押しされたと判断された場合には、判断部５４は、オートサーチ動作を行うように、映像信号サーチ部５５に指令を与える。オートサーチ動作では、信号検出回路５２ａ、５２ｂ、５２ｃにおいて検出された出力から、映像入力端子５１ａ、５１ｂ、５１ｃからの信号入力が有るか否かが順番に判断される。そして、映像入力端子５１ａ、５１ｂ、５１ｃの中で信号有りの映像入力端子が検出された場合には、映像入力端子切替部６０により、信号有りの映像入力端子からの映像入力が選択されるように、選択回路５３が設定される。
【００３３】
一方で、インプットキー３１が長押しされたと判断された場合には、判断部５４は、入力端子指定部６１に、映像入力端子５１ａ、５１ｂ、５１ｃが順番に選択されるように指令を与える。これにより、表示処理部６２により、所定時間毎に、各映像入力端子の信号名が順番に表示される。そして、終了信号検出部５８により、インプットキー３１が離されたことが検出されると、入力端子切替部６０により、インプットキー３１を離した時点の入力に設定される。
【００３４】
ここで、図４は、インプットキー３１が長押しされたときの投射画面を示すものである。図４（Ａ）〜図４（Ｃ）に示すように、インプットキー３１が長押しされると、映像入力端子５１ａ、５１ｂ、５１ｃの信号名に応じて、「入力Ａ、ビデオ」の信号名の表示６５ａ、「入力Ｂ、Ｓビデオ」の信号名の表示６５ｂ、「入力Ｃ、ＲＧＢ」の信号名の表示６５ｃが表示される。ここで、例えば、「入力Ｃ、ＲＧＢ」の信号名の表示６５ｃが表示されている時点で、インプットキー３１が離されると、映像入力端子５１ｃからの映像入力が入力されるように、選択回路５３が設定される。また、このとき、映像入力の有無が判断され、映像入力が無い場合には、図４（Ｃ）に示すように、信号がないことを示す表示６６が表示され、映像入力がある場合には、入力映像信号に基づいた表示がなされる。
【００３５】
図５は、上述の処理を実現するためのフローチャートを示すものである。
図５において、インプットキー３１が押されたかどうかが判断される（ステップＳ１）。インプットキー３１が押されたら、タイマーがスタートされ（ステップＳ２）、次いで、タイマーが所定時間に達したかどうかが判断される（ステップＳ３）。
【００３６】
そして、このとき、所定時間以内にインプットキーが離されたか否かが判断され（ステップＳ４）、所定時間以内にインプットキーが離された場合には、オートサーチ処理が行われる（ステップＳ５）。一方で、所定時間が経過してもインプットキーが離されていないと判断した場合には、入力端子切替指定処理が行われる（ステップＳ６）。
【００３７】
図６は、オートサーチのときの処理（図５のステップＳ５）を示すフローチャートである。
図６において、先ず、信号検出回路５２ａの検出出力から、映像入力端子５１ａからの映像信号の有無が検出され（ステップＳ１１）、信号有りかどうかが判断される（ステップＳ１２）。映像入力端子５１ａからの映像信号が有ると判断された場合には、映像入力端子５１ａからの映像信号が入力されるように選択回路５３が設定される（ステップＳ１３）。
【００３８】
一方、ステップＳ１２で、映像入力端子５１ａからの映像信号が無いと判断された場合には、信号検出回路５２ｂの検出出力から、映像入力端子５１ｂからの映像信号の有無が検出され（ステップＳ１４）、信号有りかどうかが判断される（ステップＳ１５）。映像入力端子５１ｂからの映像信号が有ると判断された場合には、映像入力端子５１ｂからの映像信号が入力されるように選択回路５３が設定される（ステップＳ１６）。
【００３９】
ステップＳ１５で、映像入力端子５１ｂからの映像信号が無いと判断された場合には、信号検出回路５２ｃの検出出力から、映像入力端子５１ｃからの映像信号の有無が検出され（ステップＳ１７）、信号有りかどうかが判断される（ステップＳ１８）。映像入力端子５１ｃからの映像信号が有ると判断された場合には、映像入力端子５１ｃからの映像信号が入力されるように選択回路５３が設定される（ステップＳ１９）。
【００４０】
ステップＳ１８で、映像入力端子５１ｃからの映像信号が無いと判断されたら、ステップＳ１１にリターンされ、上述した処理が繰り返される。なお、サーチ中に、インプットキーが押下された場合には、サーチ動作を中断して、ステップＳ２に戻るような処理としてもよい。
【００４１】
図７は、入力端子切替指定処理（図５のステップＳ６）を示すフローチャートである。
図７において、先ず、映像入力端子５１ａからの映像信号の信号名が表示される（ステップＳ３１）。そして、インプットキー３１が離されたかどうかが判断される（ステップＳ３２）。インプットキー３１が離されていなければ、所定時間経過したかどうかが判断され（ステップＳ３３）、所定時間経過していなければ、ステップＳ３１にリターンされる。なお、タイマーは、図２に示すタイマー５９を用いてもよいし、独自のタイマーを用いてもよい。
【００４２】
ステップＳ３１〜ステップＳ３３のループにより、映像入力端子５１ａの信号名が所定時間表示され、その間に、ステップＳ３２で、インプットキー３１が離されたかどうかが判断される。ステップＳ３２で、インプットキー３１が離されたと判断された場合には、映像入力端子５１ａからの映像信号が入力されるように選択回路５３が設定される（ステップＳ３４）。
【００４３】
ステップＳ３３で、所定時間経過したと判断された場合には、映像入力端子５１ｂからの映像信号の信号名が表示される（ステップＳ３５）。そして、インプットキー３１が離されたかどうかが判断される（ステップＳ３６）。インプットキー３１が離されていなければ、所定時間経過したかどうかが判断され（ステップＳ３７）、所定時間経過していなければ、ステップＳ３５にリターンされる。
【００４４】
ステップＳ３５〜ステップＳ３７のループにより、映像入力端子５１ｂの信号名が所定時間表示され、その間に、ステップＳ３６で、インプットキー３１が離されたかどうかが判断される。ステップＳ３６で、インプットキー３１が離されたと判断された場合には、映像入力端子５１ｂからの映像信号が入力されるように選択回路５３が設定される（ステップＳ３８）。
【００４５】
ステップＳ３７で、所定時間経過したと判断された場合には、映像入力端子５１ｃからの映像信号の信号名が表示される（ステップＳ３９）。そして、インプットキー３１が離されたかどうかが判断される（ステップＳ４０）。インプットキー３１が離されていなければ、所定時間経過したかどうかが判断され（ステップＳ４１）、所定時間経過していなければ、ステップＳ３９にリターンされる。
【００４６】
ステップＳ３９〜ステップＳ４１のループにより、映像入力端子５１ｃの信号名が所定時間表示され、その間に、ステップＳ４０で、インプットキー３１が離されたかどうかが判断される。ステップＳ４０で、インプットキー３１が離されたと判断されたら、映像入力端子５１ｃからの映像信号が入力されるように選択回路５３が設定される（ステップＳ４４）。
【００４７】
ステップＳ４１で、所定時間経過したと判断された場合には、ステップＳ３１にリターンされ、上述の処理が繰り返される。
【００４８】
図８は、入力端子切替指定処理（図５のステップＳ６）の他の例を示すフローチャートである。
図８において、先ず、映像入力端子５１ａからの映像信号が入力されるように選択回路５３が設定される（ステップＳ５１）。そして、インプットキー３１が離されたかどうかが判断される（ステップＳ５２）。インプットキー３１が離されていなければ、所定時間経過したかどうかが判断され（ステップＳ５３）、所定時間経過していなければ、ステップＳ５１にリターンされる。
【００４９】
ステップＳ５１〜ステップＳ５３のループにより、映像入力端子５１ａからの映像信号が入力されるように選択回路５３が設定され、その間に、ステップＳ５２で、インプットキー３１が離されたかどうかが判断される。ステップＳ５２で、インプットキー３１が離されたと判断されたら、映像入力端子５１ａからの映像信号が入力されるように選択回路５３が固定される（ステップＳ５４）。
【００５０】
ステップＳ５３で、所定時間経過したと判断された場合には、映像入力端子５１ｂからの映像信号が入力されるように選択回路５３が設定される（ステップＳ５５）。そして、インプットキー３１が離されたかどうかが判断される（ステップＳ５６）。インプットキー３１が離されていなければ、所定時間経過したかどうかが判断され（ステップＳ５７）、所定時間経過していなければ、ステップＳ５５にリターンされる。
【００５１】
ステップＳ５５〜ステップＳ５７のループにより、映像入力端子５１ｂからの映像信号が入力されるように選択回路５３が設定され、その間に、ステップＳ５６で、インプットキー３１が離されたかどうかが判断される。ステップＳ５６で、インプットキー３１が離されたと判断された場合には、映像入力端子５１ｂからの映像信号が入力されるように選択回路５３が固定される（ステップＳ５８）。
【００５２】
ステップＳ５７で、所定時間経過したと判断された場合には、映像入力端子５１ｃからの映像信号が入力されるように選択回路５３が設定される（ステップＳ５９）。そして、インプットキー３１が離されたかどうかが判断される（ステップＳ６０）。インプットキー３１が離されていなければ、所定時間経過したかどうかが判断され（ステップＳ６１）、所定時間経過していなければ、ステップＳ５９にリターンされる。
【００５３】
ステップＳ５９〜ステップＳ６１のループにより、映像入力端子５１ｃからの映像信号が入力されるように選択回路５３が設定され、その間に、ステップＳ６０で、インプットキー３１が離されたかどうかが判断される。ステップＳ６０で、インプットキー３１が離されたと判断された場合には、映像入力端子５１ｃからの映像信号が入力されるように選択回路５３が固定される（ステップＳ６２）。
【００５４】
ステップＳ６１で、所定時間経過したと判断された場合には、ステップＳ５１にリターンされ、上述の処理が繰り返される。
【００５５】
以上説明したように、本発明の実施形態では、インプットキー３１を短押しすると、オートサーチとなり、信号入力のある映像入力端子に自動的に切り替えられる。また、インプットキー３１が長押しされると、映像入力端子５１ａ、５１ｂ、５１ｃの信号名が所定時間毎に順番に表示され、インプットキー３１が離された時点の映像入力端子からの映像入力に切り替えられる。このため、１つのインプットキー３１で、オートサーチモードへの設定と、入力映像信号の切替えを行うことができ、キーの増加を防げることができる。
【００５６】
また、所望の映像入力端子の信号名が表示されている時点で、インプットキー３１を離すことで、どの映像入力端子からの入力も設定することができる。
【００５７】
更に、入力選択を行っている間、実際の入力切替えは行わずに、信号名の表示のみが切り替わるようにすると、不要な映像入力を見せることなく、入力切替えを行うことができる。
【００５８】
なお、本発明は、上述した実施形態に限定されるものではなく、この発明の要旨を逸脱しない範囲内で様々な変形や応用が可能である。例えば、上述の例では、インプットキーの押下げ時間で、入力サーチ動作と入力切替え動作とを判別しているが、軽く押すと第１接点、深く押し込むと第２接点が動作するような複合キーで切り替えるようにし、キーを軽く押し込むか、強く押し込むかにより、入力サーチ動作と入力切替え動作とを判別しても良い。また、本実施形態においては、インプットキーをリモコンに設けた場合を例にとって、説明したが、インプットキーを本体側に設けてもよい。
【００５９】
なお、本発明は、複数の映像入力を有するプロジェクタの映像入力切替えに用いることができると共に、テレビジョン受像機やＶＴＲ等、他の映像機器の映像入力切替えに用いることが可能である。
【図面の簡単な説明】
【００６０】
【図１】本発明が適用できるプロジェクタの構成を示すブロック図である。
【図２】本発明の実施形態のプロジェクタの説明に用いる機能ブロック図である。
【図３】本発明の実施形態のプロジェクタにおけるリモートコントローラの説明図である。
【図４】本発明の実施形態のプロジェクタにおける信号名の表示の説明図である。
【図５】本発明の実施形態のプロジェクタの動作説明に用いるフローチャートである。
【図６】本発明の実施形態のプロジェクタにおけるオートサーチの説明に用いるフローチャートである。
【図７】本発明の実施形態のプロジェクタにおける映像入力端子切替え処理の一例の説明に用いるフローチャートである。
【図８】本発明の実施形態のプロジェクタにおける映像入力端子切替え処理の他の例の説明に用いるフローチャートである。
【符号の説明】
【００６１】
２３：リモートコントローラ
３１：インプットキー
５１ａ、５１ｂ、５１ｃ：映像入力端子
５２ａ、５２ｂ、５２ｃ：信号検出回路
５３：選択回路
５４：判断部
５５：映像信号サーチ部
５６：コマンド信号受信部
５７：開始信号検出部
５８：終了信号検出部
６０：入力端子切替部
６１：入力端子指定部
６２：表示処理部
【図１】
2007327987.tif 000003
【図２】
2007327987.tif 000004
【図３】
2007327987.tif 000005
【図４】
2007327987.tif 000006
【図５】
2007327987.tif 000007
【図６】
2007327987.tif 000008
【図７】
2007327987.tif 000009
【図８】
2007327987.tif 000010